(57)【要約】【課題】動作状態信号を出力できないダブルカセットデッキであっても、遠隔的に制御して、途切れがなく、テープの無駄もなく、的確に連続記録を行うことができるテープレコーダの連続動作制御装置および連続動作制御方法を得る。【解決手段】ダブルカセットデッキとその動作を制御する制御装置を備え、カセットデッキは、第１のカセットテープに記録する第１のカセットテープ駆動部と、第２のカセットテープに記録する第２のカセットテープ駆動部を備え、制御装置は、カセットデッキに装填されるカセットテープの記録可能時間の設定部と、動作開始時からの時間を計時するタイマと、カセットデッキの一方のカセットテープ駆動部を動作開始させる動作開始指令部と、記録中のカセットテープの記録可能時間が所定時間より少なくなったとき他方のカセットテープ駆動部の動作を開始させるカセットテープ駆動部切り換え指令部を備える。【選択図】図１
2007265553.tif 000002
【特許請求の範囲】
【請求項１】
ダブルカセットデッキとこのダブルカセットデッキの動作を制御する制御装置を備え、
上記ダブルカセットデッキは、第１のカセットテープを装填してこれに記録することができる第１のカセットテープ駆動部と、第２のカセットテープを装填してこれに記録することができる第２のカセットテープ駆動部を備え、
上記制御装置は、ダブルカセットデッキに装填されるカセットテープの記録可能時間を予め設定するテープ記録可能時間設定部と、動作開始時からの時間を計時するタイマと、ダブルカセットデッキの一方のカセットテープ駆動部を動作開始させる動作開始指令部と、記録中のカセットテープの記録可能時間が所定時間より少なくなったとき他方のカセットテープ駆動部の動作を開始させるカセットテープ駆動部切り換え指令部と、を備え、
第１、第２のカセットテープ駆動部がともに駆動されている状態があるテープレコーダの連続動作制御装置。
【請求項２】
制御装置は、さらに、ダブルカセットデッキの動作を一時停止させる一時停止指令部と、一時停止したダブルカセットデッキの動作を再開させる再開指令部と、を備え、一時停止指令でタイマの計時動作を一時停止させ、再開指令でタイマの計時動作を再開させるように構成されている請求項１記載のテープレコーダの連続動作制御装置。
【請求項３】
制御装置は、第１、第２のカセットテープ駆動部がともに駆動されている状態で一時停止指令が出たとき第１、第２のカセットテープ駆動部の動作をともに一時停止させかつタイマの計時動作を一時停止させ、再開指令で第１、第２のカセットテープ駆動部の動作をともに再開させかつタイマの計時動作を再開させる請求項２記載のテープレコーダの連続動作制御装置。
【請求項４】
制御装置は、第１、第２のカセットテープ駆動部がともに駆動されている時間を計時し、この時間が一定時間に達するまでは、一時停止指令によって第１、第２のカセットテープ駆動部の動作を停止させ、再開指令によって第１、第２のカセットテープ駆動部の動作を再開させかつタイマの計時動作を再開させる請求項３記載のテープレコーダの連続動作制御装置。
【請求項５】
第１のカセットテープを装填してこれに記録することができる第１のカセットテープ駆動部と、第２のカセットテープを装填してこれに記録することができる第２のカセットテープ駆動部を備えたダブルカセットデッキと、このダブルカセットデッキの動作を制御する制御装置を備えたテープレコーダの連続動作制御方法であって、
ダブルカセットデッキに装填されるカセットテープの記録時間を上記制御装置テープ記録時間設定部において予め設定しておき、
上記制御装置は、動作開始時からの時間をタイマで計時し、動作開始指令によってダブルカセットデッキの一方のカセットテープ駆動部を動作開始させ、記録中のカセットテープの記録可能時間が所定時間より少なくなったとき他方のカセットテープ駆動部の動作を開始させ、第１、第２のカセットテープ駆動部がともに駆動されている状態があることを特徴とするテープレコーダの連続動作制御方法。
【請求項６】
制御装置はさらに、一時停止指令によってダブルカセットデッキの動作を一時停止させ、一時停止したダブルカセットデッキの動作を再開指令によって再開させる請求項５記載のテープレコーダの連続動作制御方法。
【請求項７】
制御装置は、一時停止指令でタイマの計時動作を一時停止させ、再開指令でタイマの計時動作を再開させる請求項６記載のテープレコーダの連続動作制御方法。
【請求項８】
制御装置は、第１、第２のカセットテープ駆動部がともに駆動されている状態で一時停止指令が出たとき第１、第２のカセットテープ駆動部の動作をともに一時停止させかつタイマの計時動作を一時停止させ、再開指令で第１、第２のカセットテープ駆動部の動作をともに再開させかつタイマの計時動作を再開させる請求項６記載のテープレコーダの連続動作制御方法。
【発明の詳細な説明】
【技術分野】
【０００１】
本発明は、ダブルカセットデッキを使用するテープレコーダの連続動作制御装置および連続動作制御方法に関するもので、ダブルカセットデッキ側でテープの状態を信号として取得することができないものにおいて、例えばパソコンなどの制御装置により連続記録制御を可能にしたものである。
【背景技術】
【０００２】
長時間にわたる会議などをカセットテープに録音するには、１本のカセットテープでは録音時間が足りないため、ダブルカセットデッキを使用して連続録音している。図７はダブルカセットデッキの概念図である。図７において、ダブルカセットデッキ１０は、第１のカセットテープを装填してこれに記録することができる第１のカセットテープ駆動部１１と、第２のカセットテープを装填してこれに記録することができる第２のカセットテープ駆動部１２を備えている。第１、第２のカセットテープ駆動部１１、１２は個別に、録音、再生、早送り、巻き戻し、停止および一時停止操作が可能である。長時間にわたり連続して録音する場合は、第１、第２のカセットテープ駆動部１１、１２にそれぞれ第１、第２のカセットテープを装填し、連続録音モードに設定して録音開始操作をする。
【０００３】
録音開始操作によって、まず第１のカセットテープ駆動部１１をフォワード方向に駆動し、第１のカセットテープのＡ面に記録する。第１のカセットテープ駆動部１１におけるテープ終端検知装置が第１のカセットテープの終端を検知すると、第２のカセットテープ駆動部１２をフォワード方向に駆動し、第２のカセットテープのＡ面に記録する。第２のカセットテープ駆動部１２におけるテープ終端検知装置が第２のカセットテープの終端を検知すると、第１のカセットテープ駆動部１１をリバース方向に駆動し、第１のカセットテープのＢ面に記録する。第１のカセットテープ駆動部１１におけるテープ終端検知装置が第１のカセットテープの終端を検知すると、第２のカセットテープ駆動部１２をリバース方向に駆動し、第２のカセットテープのＢ面に記録する。このようにして、第１のカセットテープのＡ面⇒第２のカセットテープのＡ面⇒第１のカセットテープのＢ面⇒第２のカセットテープのＢ面、の順に録音する。このような、ダブルカセットデッキの連続記録装置として、例えば、特許文献１、特許文献２、特許文献３、特許文献４、特許文献５などに記載されている発明がある。
【０００４】
【特許文献１】実開昭６２−２６６３５号公報
【特許文献２】特開昭６０−１６３８号公報
【特許文献３】実開平５−１５１３６号公報
【特許文献４】特開昭６３−３１０５１号公報
【０００５】
上記各特許文献記載の発明によれば、一方のテープの終端まで記録動作を行い、終端を検知することによって他方のテープに記録動作を行なうため、テープの終端に記録することができないリードテープがある場合は、記録が一時的に途絶える。仮に、リードテープがないとしても、一方のカセットテープ駆動部から他方のカセットテープ駆動部の動作を切り換えるときの動作遅れで記録が一時的に途絶える。
【０００６】
また、ダブルカセットデッキをその傍でオペレータが操作するのであれば前述のような連続録音を行うことができる。しかし、例えば、会議場において、ダブルカセットデッキによって第１、第２のカセットテープ駆動部を連続的に駆動させて第１、第２のカセットテープに連続録音する場合は、パソコンなどの制御装置でダブルカセットデッキを遠隔的に制御する必要がある場合がある。ダブルカセットデッキを制御装置で遠隔制御して連続録音するには、ダブルカセットデッキが、どのカセットテープに録音しているか、それはＡ面かＢ面か、テープのどこまで録音しているか、などのテープの状態を常時把握し、これらのテープの状態を表す信号を制御装置に送る必要がある。制御装置では、これらの信号に基づいて、ダブルカセットデッキに、第１のカセットテープ駆動部かまたは第２のカセットテープ駆動部のいずれかを選択し、さらに、カセットテープのＡ面かまたはＢ面のいずれかを選択して制御コマンドを送ることによって、ダブルカセットデッキの動作を目的にかなったとおりに制御することができる。
【０００７】
ところが、ダブルカセットデッキによっては、テープの状態を把握することができず、状態を表す信号を出力することができないものがある。このようなダブルカセットデッキを制御装置によって遠隔制御するには、カセットテープによって決まっている録音時間を頼りにして、制御装置側で計時しながら、第１、第２のカセットテープ駆動部の動作及び停止を制御することが考えられる。また、第１、第２のカセットテープ駆動部間で録音動作を切り換える際に一時的な録音の途切れを防止するには、録音動作の切り換えに先立って、第１、第２のカセットテープ駆動部をともに駆動して、第１、第２カセットテープに重ね取りする期間を設けるとよい。
【０００８】
図８は、このようなダブルカセットデッキによる連続録音が正常に行なわれる場合をイメージ化して示す。録音開始操作によって、まず第１のカセットテープ駆動部１１をフォワード方向に駆動し、第１のカセットテープのＡ面に記録するとともに、記録時間を計時する。第１のカセットテープの記録時間が残り少なく、例えば、残り時間が５分以下になったら、第２のカセットテープ駆動部１２をフォワード方向に駆動し、第２のカセットテープのＡ面に記録する。その間、第１のカセットテープ駆動部１１は第１のカセットテープのＡ面が終端に至るまで録音を続ける。したがって、第１、第２のカセットテープの両者に例えば５分間程度重ねて録音される。第２のカセットテープのＡ面に記録可能な時間が例えば５分以下になったら、第１のカセットテープ駆動部１１をリバース方向に駆動し、第１のカセットテープのＢ面に記録する。第２のカセットテープ駆動部１２は第２のカセットテープのＡ面が終端に至るまで録音を続ける。第１のカセットテープのＢ面に記録可能な時間が例えば５分以下になったら、第２のカセットテープ駆動部１２をリバース方向に駆動し、第２のカセットテープのＢ面に記録する。このようにして、テープの切り換えが行なわれるたびに、第１、第２カセットテープ双方に重ねて録音される領域が例えば５分間程度存在している。
【０００９】
しかしながら、カセットテープに表記されている録音時間と実際の録音時間には誤差があり、連続録音する次のカセットテープとの重ね取りの時間にばらつきが生じる。図９はこのばらつきをイメージ化したもので、平行斜線を付した部分が重ね取りしている時間を示しており、重ね取りのたびにその時間に差があることを示している。
【００１０】
重ね取りの時間に差があると、重ね取りの時間が長い場合にはテープに無駄を生じることになってトータルの録音時間が短くなり、逆に、重ね取りの時間がなくなって録音が途切れることもありえる。また、重ね取りの時間に差があると、録音を一時停止した後、録音再開指令が出された場合に、以下のような不具合が生じる場合がある。連続録音モードで録音しているとき、制御装置から一時停止指令が出されてダブルカセットデッキが一時停止し、その後録音再開指令が出された場合は、一時停止指令が出されたときのテープデッキの状態を把握し、その状態で録音を再開する必要がある。しかし、本発明が想定しているダブルカセットデッキは状態信号を出力することができないものであるため、録音再開指令によって、どのカセットテープ駆動部をどの向きに作動させればよいかわからなくなる。特に、第１、第２のカセットテープ駆動部がともに作動していて第１、第２のカセットテープに重ね取りしているとき一時停止した場合は、録音再開指令によって、どのカセットテープ駆動部をどっちの向きに、すなわちフォワード方向とリバース方向のどっちに作動させればよいかわからない。上記のように、重ね取りの時間に差があり、累積的に重ね取りの時間が長くなると、どのカセットテープ駆動部を作動させればよいか、混乱する機会が増えることになる。
【発明の開示】
【発明が解決しようとする課題】
【００１１】
本発明は、以上のような従来技術の問題点を解消するためになされたもので、動作状態信号を出力することができないダブルカセットデッキであっても、これを制御装置によって遠隔的に、記録の途切れがなく、テープの無駄もなく、的確に連続記録を行うことができるテープレコーダの連続動作制御装置および連続動作制御方法を提供することを目的とする。
本発明はまた、いかなる動作状態において制御装置から一時停止指令が出され、かつ再開指令が出されたとしても、混乱することなく指令に従って、予定したとおり正常に動作することができるテープレコーダの連続動作制御装置および連続動作制御方法を提供することを目的とする。
【課題を解決するための手段】
【００１２】
本発明は、ダブルカセットデッキとこのダブルカセットデッキの動作を制御する制御装置を備え、ダブルカセットデッキは、第１のカセットテープを装填してこれに記録することができる第１のカセットテープ駆動部と、第２のカセットテープを装填してこれに記録することができる第２のカセットテープ駆動部を備え、制御装置は、ダブルカセットデッキに装填されるカセットテープの記録可能時間を予め設定するテープ記録可能時間設定部と、動作開始時からの時間を計時するタイマと、ダブルカセットデッキの一方のカセットテープ駆動部を動作開始させる動作開始指令部と、記録中のカセットテープの記録可能時間が所定時間より少なくなったとき他方のカセットテープ駆動部の動作を開始させるカセットテープ駆動部切り換え指令部と、を備え、第１、第２のカセットテープ駆動部がともに駆動されている状態があることを最も主要な特徴とする。
制御装置はさらに、ダブルカセットデッキの動作を一時停止させる一時停止指令部と、一時停止したダブルカセットデッキの動作を再開させる再開指令部を備え、一時停止指令でタイマの計時動作を一時停止させ、再開指令でタイマの計時動作を再開させるように構成するとよい。
【発明の効果】
【００１３】
制御装置側のテープ記録可能時間設定部でカセットテープの記録可能時間を設定し、制御装置側の動作開始指令部からの指令でダブルカセットデッキの一方のカセットテープ駆動部を動作開始させる。記録中のカセットテープの記録可能時間が所定時間より少なくなると、制御装置側のカセットテープ駆動部切り換え指令部の指令で他方のカセットテープ駆動部の動作が開始する。一方のカセットテープ駆動部も他方のカセットテープ駆動部とともに記録動作を継続し、一方のカセットテープが終端に至ると一方のカセットテープ駆動部は動作を停止する。他方のカセットテープの記録可能時間が所定時間より少なくなった場合も同様に、一方のカセットテープ駆動部も動作を開始させる。このようにして、第１、第２のカセットテープ駆動部相互でテープ駆動が切り換えられるとき、第１、第２のカセットテープ駆動部がともに駆動されている状態があるので、記録が途切れることはない。制御装置は、使用するカセットテープの記録可能時間を予め設定しておき、タイマで計時しながら、カセットテープの記録可能時間が所定時間より少なくなったとき他方のカセットテープ駆動部を動作させるように構成しているので、記録状態の信号を出力することができないタイプのダブルカセットデッキであっても、制御装置によって遠隔的な操作が可能であるとともに、カセットテープを無駄なく使用して記録可能時間を長く確保することができる。
【発明を実施するための最良の形態】
【００１４】
以下、本発明にかかるテープレコーダの連続動作制御装置および連続動作制御方法の実施例を、図面を参照しながら説明する。
図２は本発明の実施例を模式的に示すもので、ダブルカセットデッキ１０を、パーソナル・コンピュータ（以下「パソコン」という）２０からなる制御装置で遠隔的に連続動作を制御することができるように構成されている。ダブルカセットデッキ１０は図７に示す従来のダブルカセットデッキと同様に、第１のカセットテープを装填してこれに記録することができる第１のカセットテープ駆動部１１と、第２のカセットテープを装填してこれに記録することができる第２のカセットテープ駆動部１２を備えている。第１、第２のカセットテープ駆動部１１、１２は個別に、録音、再生、早送り、巻き戻し、停止および一時停止操作が可能である。長時間にわたり連続して録音する場合は、第１、第２のカセットテープ駆動部１１、１２にそれぞれ第１、第２のカセットテープを装填し、パソコン２０からの指令で録音を開始するようになっている。ダブルカセットデッキ１０は、第１、第２のカセットテープ駆動部１１、１２のいずれが動作しているか、カセットテープのＡ，Ｂ面の何れに、どこまで録音しているかなどの状態信号出力することができないタイプのデッキである。そこで、制御装置としてのパソコン２０は、使用するカセットテープの録音可能時間を予め設定するテープ記録可能時間設定部と、動作開始時からの時間を計時するタイマを備えていて、録音時間をタイマで計測しながら、タイマの計測値をテープ記録可能時間設定部で設定されたカセットテープの録音可能時間と対比しながら、第１、第２のカセットテープ駆動部１１、１２の動作を制御するように構成されている。
【００１５】
図１は、上記制御装置２０によるダブルカセットデッキ１０の制御動作例を示す。各動作ステップを、「Ｓ１」「Ｓ２」「Ｓ３」・・・のように表している。使用する第１、第２のカセットテープの録音可能時間はともに片側３０分の例で、一方のカセットテープから他方のカセットテープに録音が切り換えられる際に、双方のカセットテープに重ね取りされるようになっていて、重ね取りの時間は５分に設定されている。丸付きの数字「１」は第１のカセットテープを、丸付きの数字「２」は第２のカセットテープを示す。「Ａ」とあるのはカセットテープの第１面すなわちフォワード方向の録音面、「Ｂ」とあるのはカセットテープの第２面すなわちリバース方向の録音面を示す。第１、第２のカセットテープ駆動部はともに、録音再生モードに設定され、例えば、ポーズ状態すなわち一時停止状態におかれている。「ｎ」とあるのはテープの録音面を切り換えた回数で、録音開始当初はｎ＝０である。
【００１６】
図１において、前記パソコン２０から録音開始指令が出ると、第１のカセットテープ駆動部１１がフォワード方向に駆動され、第１のカセットテープのＡ面に録音が開始される（Ｓ２）とともに、パソコン２０においてタイマがスタートする。タイマによる時間カウントが２５分、したがって第１のカセットテープＡ面の残りの録音可能時間が５分以下になると、第２のカセットテープのＡ面への録音開始指令が出され、第２のカセットテープのＡ面への録音が開始される（Ｓ５）。したがって、第１、第２のカセットテープ駆動部１１、１２がともに駆動され、第１、第２のカセットテープのＡ面に同じ音声が重ねて記録される。重ね取りが５分間行なわれると第１のカセットテープのＡ面が終端に達し、第１のカセットテープ駆動部１１を切り替え、リバース方向の録音指令を待つ。
【００１７】
第２のカセットテープのＡ面への録音が開始された時点から２５分が経過すると、したがって、録音開始当初からのタイマによる計測時間が５０分を経過すると、第１のカセットテープのＢ面への録音開始指令が出され、第１のカセットテープＢ面への録音が開始される（Ｓ８）。第２のカセットテープＡ面への録音時間は５分間残っており、５分間だけ第２のカセットテープＡ面への録音と第１のカセットテープＢ面への録音が重ねて行われる。
【００１８】
第１のカセットテープＢ面への録音が開始された時点から２５分が経過すると、したがって、録音開始当初からのタイマによる計測時間が７５分を経過すると、第２のカセットテープＢ面への録音開始指令が出され、第２のカセットテープＢ面への録音が開始される（Ｓ１１）。第１のカセットテープＢ面への録音時間は５分間残っており、５分間だけ第１のカセットテープＢ面への録音と第２のカセットテープＢ面への録音が重ねて行われる。
【００１９】
第２のカセットテープＢ面に単独で録音される時間も２５分であって、この２５分が経過すると、したがって、録音開始当初からのタイマによる計測時間が１００分を経過すると、第１のカセットテープＡ面への録音開始指令が出される（Ｓ１７）。しかし、第１のカセットテープＡ面は録音済みであるから、第２のカセットテープＢ面への録音開始後、第１のカセットテープの交換を促す警告を出す（Ｓ１３）。第２のカセットテープＢ面への録音中に第１のカセットテープが交換された場合は警告を解除する。警告が解除された場合は上記ステップＳ１７に進む。第１のカセットテープが交換されず、警告が出されたままの場合は、ステップＳ１７に進むことなく、第２のカセットテープへの録音を一時停止し（Ｓ１６）、警告が解除されるのを待つ。
【００２０】
第２のカセットテープＢ面への録音と交換された第１のカセットテープＡ面への録音が重ねて行なわれた後、第１のカセットテープＡ面のみの録音が進行しているとき、録音済みの第２のカセットテープの交換を促す警告を出す（Ｓ１９）。第２のカセットテープが交換されれば、警告を解除し（Ｓ２１のＹＥＳ）、Ｓ５に戻る。第２のカセットテープが交換されず、警告が出されたままの場合は、Ｓ５に戻ることなく、第１のカセットテープへの録音を一時停止し（Ｓ２２）、警告が解除されるのを待つ。
【００２１】
以上の動作は、録音途中に一時停止指令が出されない通常の動作である。図３はこの動作を模式的に示している。第１のカセットテープＡ面に録音を開始すると同時にタイマによるカウントを開始する。片側の録音時間が３０分のカセットテープを使用していることを想定しているので、第１のカセットテープＡ面⇒第２のカセットテープＡ面⇒第１のカセットテープＢ面⇒第２のカセットテープＢ面、の順に３０分ずつ録音される。ただし、テープを切り換えるに際して、図３において平行斜線で示すように、第１、第２カセットテープに５分間の重ね取りの時間を設けているので、片側の録音時間が５分ずつ短くなっている。
【００２２】
長時間録音中には、例えば会議などでは途中で休憩時間が設けられる場合がある。休憩時間に録音しても無駄であるから、録音を一時停止させることがある。一時停止後録音を再開する場合に、一時停止直前の状態で動作が再開されなければならない。本発明においては、一時停止およびその後の録音再開動作を、
（１）第１、第２のカセットテープ駆動部１１、１２の一方が録音動作中、
（２）第１、第２のカセットテープ駆動部１１、１２がともに録音動作中、
に分けて考える必要がある。図１では、上記（１）の一時停止動作を「一時停止Ｉ」として表し、それぞれステップＳ４，Ｓ７，Ｓ１０，Ｓ１４，Ｓ２０に「一時停止Ｉ」を置いている。この「一時停止Ｉ」動作の詳細を図４に示している。上記（２）の一時停止動作を「一時停止ＩＩ」として表し、それぞれステップＳ６，Ｓ９，Ｓ１２，Ｓ１８に「一時停止ＩＩ」を置いている。この「一時停止ＩＩ」動作の詳細を図５に示している。
【００２３】
上記「一時停止Ｉ」の詳細を説明する。図４において、一時停止指令が出されると、テープ録音面の切り換え回数を表すｎに「１」を加える（Ｓ４１）。ここでは、第１のカセットテープＡ面に録音中に一時停止指令が出された場合を想定する。したがって、ｎ＝０の状態で一時停止指令が出されたことになるので、ｎ＝０＋１となり、ｎの値を「１」とする。一時停止指令が出されると（Ｓ４２のＹＥＳ）、動作中のカセットテープ駆動部を一時停止させ（Ｓ４３）、タイマによる計時動作も停止させる（Ｓ４４）。録音再開指令を待ち（Ｓ４５）、再開指令が出ると、動作していた、すなわち一時停止直前に動作していたカセットテープ駆動部の駆動指令を出して録音を再開し（Ｓ４６）、かつ、タイマをリスタートさせ（Ｓ４７）、ステップＳ４８に行く。ステップＳ４８では、ａ×ｎ分経過したかどうかを判断する。「ａ」は、各テープの片面に録音を開始してから他方のテープに重ね取りを開始するまでの時間を意味する。本実施例では、前述のように片側の録音可能時間が３０分のカセットテープを想定し、第１、第２のカセットテープの重ね取りの時間を５分と設定しているので、ａ＝２５（分）である。「ａ×ｎ分経過したかどうか」の意味は、動作開始時点（タイマのカウントが０分）から動作中のカセットテープ駆動部による所定の録音時間が経過するまでに要する所定の時間が経過したか否かの意味である。ここでは第１のカセットテープのＡ面に録音することを想定しており、上記のようにｎ＝０＋１＝１であるから、ａ×ｎ＝２５（分）である。図４のステップＳ４８において、第１のカセットテープ駆動部のみの駆動時間すなわち録音時間がａ×ｎ分を経過していなければ、まだ第１のカセットテープのみによる録音が可能であるからステップＳ４２に戻る。Ｓ４８において、ａ×ｎ分を経過したと判断した場合は、図１のフローに戻る。ステップＳ４２において一時停止がなければステップＳ４８に飛ぶ。
図１において、ステップＳ７の「一時停止Ｉ」ではｎ＝２、ステップＳ１０の「一時停止Ｉ」ではｎ＝３、ステップＳ１４の「一時停止Ｉ」ではｎ＝４、ステップＳ２０の「一時停止Ｉ」ではｎ＝５、となる。
【００２４】
前記「一時停止ＩＩ」の動作を詳細に説明する。図５において、第１、第２のカセットテープ駆動部１１、１２がともに録音動作中に一時停止指令が出された場合は（Ｓ６１のＹＥＳ）、動作中の第１、第２のカセットテープ駆動部をともに一時停止させ（Ｓ６２）、タイマによる計時動作も停止させる（Ｓ６３）。録音再開指令を待ち（Ｓ６４）、再開指令が出ると、第１、第２のカセットテープ駆動部１１、１２の両者に駆動指令を出して録音を再開し（Ｓ６５）、かつ、タイマをリスタートさせ（Ｓ６６）、ステップＳ６７に行く。ステップＳ６７では、第１、第２のカセットテープに重ね取りするのに要する時間が経過したか否か、換言すれば、カウンタが、重ね取りに要する時間の終わりまで計時したか否かを判断する。実施例の設定では、使用するテープの片面の録音可能な時間をｂとすると、ｂ＝３０（分）であり、ａを前述のように設定すると、重ね取りする時間はｂ−ａ＝５（分）である。図１においてステップＳ６の「一時停止ＩＩ」のケースでは、テープ録音面の切り換えが１回行なわれているから、前記ｎは、ｎ＝０＋１＝１である。ステップＳ６７では、タイマのカウント値が（ｂ−ａ）＋２５×ｎに達したか否かを判断する。図１に示すステップＳ６の「一時停止ＩＩ」の場合、（ｂ−ａ）＋２５×ｎ＝（３０−２５）＋２５×１＝３０（分）である。したがって、タイマのカウント値が３０分にしていなければステップＳ６１に戻って上記の動作を繰り返す。「一時停止ＩＩ」のケースは、第１、第２のカセットテープが重ね取りされている場合であるから、重ね取りの時間である５分間、上記の動作を繰り返すことになる。ステップＳ６７でタイマのカウント値が重ね取りに要する時間に達すれば、図１のフローに戻る。ステップＳ６１において一時停止がなければステップＳ６７に飛ぶ。
「一時停止ＩＩ」の動作は、第２のカセットテープＡ面と第１のカセットテープＢ面の重ね取り中にも、第１のカセットテープＢ面と第２のカセットテープＢ面に重ね取り中にも行なわれ、その都度ｎ＝ｎ＋１となるので、上記ステップＳ６７で判断されるタイマの値は、実施例の設定では、３０（分）、５５（分）、８０（分）、・・・というようになる。
【００２５】
ダブルカセットデッキの連続動作制御中に、例えば会議の終了などによって録音を終了する場合は前記制御装置から終了割り込み指令を出す。終了割り込み指令が出ると、図６に示すように、動作中のカセットテープ駆動部が停止し（Ｓ７１）、同時にタイマの計時動作も停止して（Ｓ７２）、一連の制御動作が終了する。終了割り込み指令が出たとき、片方のカセットテープ駆動部が動作していればその動作が停止し、両方のカセットテープ駆動部が動作していれば双方のカセットテープ駆動部の動作が停止する。
【００２６】
以上説明した本発明の実施例にかかるテープレコーダの連続動作制御装置および連続動作制御方法によれば、制御装置は、使用するカセットテープの記録可能時間を予め設定しておき、タイマで計時しながら、カセットテープの記録可能時間が所定時間より少なくなったとき他方のカセットテープ駆動部を動作させるように構成しているので、記録状態の信号を出力することができないタイプのダブルカセットデッキであっても、制御装置によって遠隔的な操作が可能であるとともに、カセットテープを無駄なく使用して記録可能時間を長く確保することができる。また、記録動作中に一時停止指令が出され、次に録音再開指令が出されたとしても、混乱することなく指令に従って目論見どおりに動作させることができるテープレコーダの連続動作制御装置および連続動作制御方法を提供することができる。
【図面の簡単な説明】
【００２７】
【図１】本発明にかかるテープレコーダの連続動作制御装置および連続動作制御方法の実施例の動作を示すフローチャートである。
【図２】本発明にかかるテープレコーダの連続動作制御装置および連続動作制御方法の実施例を示す概念図である。
【図３】本発明の実施例によるテープ切り換えの例を示すタイミングチャートである。
【図４】本発明の実施例の動作中、第１の動作態様での一時停止時の動作例を示すフローチャートである。
【図５】本発明の実施例の動作中、第２の動作態様での一時停止時の動作例を示すフローチャートである。
【図６】本発明の実施例の動作中、終了割り込み指令が出されたときの動作例を示すフローチャートである。
【図７】ダブルカセットデッキの概念を示す模式図である。
【図８】ダブルカセットデッキによる正常な連続動作制御が行なわれる場合のタイミングチャートである。
【図９】ダブルカセットデッキによる連続動作制御において重ね取りの時間に誤差が生じた場合の例を示すタイミングチャートである。
【符号の説明】
【００２８】
１０    ダブルカセットデッキ
１１    第１のカセットテープ駆動部
１２    第２のカセットテープ駆動部
２０    制御装置
【図１】
2007265553.tif 000003
【図２】
2007265553.tif 000004
【図３】
2007265553.tif 000005
【図４】
2007265553.tif 000006
【図５】
2007265553.tif 000007
【図６】
2007265553.tif 000008
【図７】
2007265553.tif 000009
【図８】
2007265553.tif 000010
【図９】
2007265553.tif 000011